(57)【要約】【課題】粘着性の筆記用紙を分与するための電動ディスペンサーを提供することである。【解決手段】再位置決めすることの可能な粘着性メモ用紙２２をそのロール２４から分与するためのディスペンサー１０が、内側部分及び排紙口１８を画定するハウジング１２を有している。ディスペンサー１０の駆動システムが、ハウジングの内側部分内に回転自在に取り付けたローラー２６と、ローラーと係合して該ローラーをその中心軸線を中心としてハウジングに関して回転させるためのモーター４２とを含む。ハウジング内部には、用紙をローラーと接触させるように付勢する係合位置と、用紙をローラーから離間させて用紙の装填を可能とさせる脱係合位置との間を可動であることが好ましい圧力部材４８が設けられる。【選択図】図２
2007297137.tif 000002
【特許請求の範囲】
【請求項１】
ロールから、その一側部に低粘着性の感圧接着材を有する粘着性メモ用紙を分与するための電動式のディスペンサーであって、
内側部分と排紙口とを画定するハウジングと、
ハウジングの内側部分内に回転自在に取り付けたローラーと、該ロールと係合するモーターにして、ローラーの中心軸線を中心としてローラーをハウジングに関して回転させるようになっているモーターと、
ハウジングの内側部分内に位置付けた圧力部材にして、ローラーをして、ローラーと該圧力部材との間に位置付けられた粘着性メモ用紙を駆動させ且つハウジングの排紙口に向けて駆動させるために該圧力部材とローラーとの間に圧力を創出するようになっている圧力部材と、
を含むディスペンサー。
【請求項２】
ハウジングの内側部分内に回転自在に取り付けた、粘着性メモ用紙のロールを更に含む請求項１のディスペンサー。
【請求項３】
圧力部材が、圧力部材と駆動システムのローラーとの間に圧力を創出するためのプレート部分と、圧力部材の各端部位置の取付けフランジとを含み、該取付けフランジが、圧力部材をその取付け軸を中心として回転させるためにハウジングの内側部分内にピボット廻動自在に支持される請求項１のディスペンサー。
【請求項４】
ハウジングの内側部分内に位置付けた離間状態で直立する一対のブラケットを更に含み、該ブラケットが、圧力部材の取付けフランジを圧力部材の各端部位置で支持するようになっている請求項３のディスペンサー。
【請求項５】
圧力部材と接触するバネが圧力部材をローラーに向けて付勢する請求項１のディスペンサー。
【請求項６】
駆動システムのモーターが、ローラーにより画定される内側部分内に位置付けられる請求項１のディスペンサー。
【請求項７】
駆動システムがローラー取付けチューブを有し、該ローラー取付けチューブが、該ローラー及びローラー取付けチューブ間で相対回転させるためにローラーを摺動自在に受けるようになっている外側表面を有し、モーターがローラー取付けチューブの内側部分内に取り付けられる請求項６のディスペンサー。
【請求項８】
モーターが出力軸を有し、ローラーが、端部壁と、該端部壁におけるソケットとを有し、前記出力軸が、モーターが起動された場合に該出力軸がローラーを回転させるようにソケットと係合する請求項７のディスペンサー。
【請求項９】
ハウジングの内側部分内に取り外し自在に支持された軸を更に含み、該軸が、粘着性メモ用紙のロールの中心開口を貫いて伸延して該ロールを回転自在に支持するようになっている請求項１のディスペンサー。
【請求項１０】
駆動システムのモーターを起動させるためのアクチュエーターを更に含み、該アクチュエーターが、ディスペンサーに取り付けられ且つユーザーが押し下げ得るボタンを含み、アクチュエーターが、前記ボタンがユーザーによって押し下げられた場合に相互に接触するべく配置した第１及び第２の各電気接点を含み、第１及び第２の各電気接点間が接触するとモーターを起動する回路が閉じられる請求項１のディスペンサー。
【請求項１１】
アクチュエーターの第１及び第２の各電気接点は圧力部材に固定され且つ、アクチュエーターのボタンが押し下げられると第１及び第２の各電気接点が接触するように配置される請求項１０のディスペンサー。
【請求項１２】
駆動システムのモーターがローラーの外側に位置付けられる請求項１のディスペンサー。
【請求項１３】
接着材をその一側部に有する用紙のロールを更に含み、該ロールがロール支持体によって取り外し自在に支持され、ロールまたは用紙が、用紙の、接着材を有するその一側部がローラーと着脱自在に係合するように配向され、用紙のローラーへの粘着が、ハウジングの外側への用紙の移動を容易化する請求項９のディスペンサー。
【請求項１４】
電動式の粘着性メモ用紙ディスペンサーであって、
その一側部に感圧接着材を有する粘着性メモ用紙のロールと、
内側部分と排紙口とを有するハウジングと、
ハウジング内に位置付けられた用紙駆動システムにして、その中心軸線を中心として回転するように回転自在に支持され且つ、実質的に円筒形状の外側表面と、内側部分とを画定する胴部を含むローラーを含み、前記内側部分内にはモーターが位置付けられ、該モーターが、起動されると該ローラーと係合して該ローラーを回転させる出力軸を有する用紙駆動システムと、
圧力プレートにして、ローラーの外側表面と該圧力プレートとの間に、粘着性メモ用紙をそのロールからローラーと圧力プレートとの間に駆動させるための圧力を発生する圧力プレートと、
を含む粘着性メモ用紙ディスペンサー。
【請求項１５】
圧力プレートが、粘着性メモ用紙を装填するためにローラーから離間される脱係合位置を有し、該圧力プレートが、脱係合位置及び係合位置間で可動であるように取り付けられる請求項１４の粘着性メモ用紙ディスペンサー。
【請求項１６】
低粘着性の感圧接着材をその一側部に有する粘着性メモ用紙をロールから分与させるための電動式のディスペンサーであって、
排紙義値を有する取り外し自在の上方セクションとベース部とを有し、内側部分を有するハウジングと、
ハウジングの内側部分内に回転自在に取り付けたローラーと、ベース部に固定されたモーターにして、起動されると前記ローラーをその中心軸線を中心として回転させるようにローラーと係合されるモーターと、を含む駆動システムと、
ローラーから離間され且つローラーを支持するような設計形状としたローラー紙自体と、
ハウジングの内側部分内に位置付けられ、ローラーと圧力部材との間に位置付けられた粘着性メモ用紙をローラーに押し付けるようになっている圧力部材と、
を含む電動式のディスペンサー。
【請求項１７】
モーターが、ローラーを回転させるために該ローラーと係合される出力軸を含んでいる請求項１６の電動式のディスペンサー。
【請求項１８】
モーターの出力軸が、ローラーの内側に形成したソケットと係合する請求項１７の電動式のディスペンサー。
【請求項１９】
モーターが、その中心軸線を中心として回転する出力駆動部材を有し、該出力駆動部材の中心軸線と、ローラーの中心軸線とが相互に一致される請求項１６の電動式のディスペンサー。
【請求項２０】
モーターがローラーの外側に位置付けられる請求項１７の電動式のディスペンサー。
【請求項２１】
粘着材をその一側部に有するロールを更に含み、該ロールがロール支持体によって取り外し自在に支持され、ロールまたは用紙が、粘着材を有するその一側部がローラーと着脱自在に係合するように配向され、ローラーへの用紙の粘着がハウジングの外側への用紙の移行を容易化するようにした請求項１６の電動式のディスペンサー。
【発明の詳細な説明】
【技術分野】
【０００１】
本発明は一般に、ロールから紙を分与するようになっているディスペンサーに関し、詳しくは、粘着性メモ用紙を分与するための電動ディスペンサーに関する。
【背景技術】
【０００２】
ミネソタ州セントポールの３Ｍ社製のＰＯＳＴ−ＩＴ（商標名）のような粘着性メモ用紙は、各々が背面に低粘着性の感圧接着材を有する多数の用紙シートを含んでいる。感圧接着材が使用されることでユーザーは、メモを関連付けさせたい書類の如き表面に直接書き込むこと無く、そうした表面にメモ用紙を取り外し自在に粘着させ得、また、粘着させたメモ用紙を、表面を損傷させることなく後で除去することができる。粘着性の多数の用紙シートは積層状態で提供され、一枚ずつこの積層体から取り出される。
【０００３】
米国特許第５，９０４，２８３号に開示されるように、ロール状の粘着性メモ用紙を提供することも知られている。ロール状の粘着性メモ用紙はその一側部に低粘着性粘着材のバンドを有する。前記米国特許には、ロールから粘着性メモ用紙を分与するためのディスペンサーも記載される。粘着性メモ用紙は、軸上に回転自在に取り付けたロールから電動コンベヤベルト上に送られ、このベルトに粘着する。米国特許第４，３２７，８７５号には、無端のコンベヤを有し、粘着性メモ用紙がロールからこのコンベヤ上に分与されるディスペンサーが記載される。
【０００４】
【特許文献１】米国特許第５，９０４，２８３号明細書
【特許文献２】米国特許第４，３２７，８７５号明細書
【発明の開示】
【発明が解決しようとする課題】
【０００５】
粘着性の筆記用紙を分与するための電動ディスペンサーを提供することである。
【課題を解決するための手段】
【０００６】
本発明の一様相によれば、ロールからメモ用紙を分与するためのディスペンサーが提供される。ディスペンサーは内側部分と、排紙口とを画定するハウジングとを含み、更には、ハウジングの内側部分内に回転自在に取り付けたローラーと、このローラーと係合し、ハウジングに関してローラーをその中心軸の周囲に回転させるためのモーターと、ハウジングの内側部分内に位置付けた圧力部材とをも含む。圧力部材は駆動システムのローラーと係脱する各位置間を可動であり、ローラーと係合する位置では圧力部材とローラーとの間に圧力を生じさせるようになっている。
本発明の一実施例では、ローラーは取付けチューブ或いは取付け支持体の外側表面上に回転自在に取り付けられ、駆動システムのモーターがローラーの取付け支持体内に位置付けられる。
【０００７】
ディスペンサーは駆動システムのモーターを起動させるためのアクチュエーターを有している。ある実施例ではこのアクチュエーターは、ユーザーがハウジングに関して押し下げ操作するように配置したボタンを好ましく含む。アクチュエーターは、ユーザーがボタンをハウジングに関して押し下げると相互に接触するように配置した第１及び第２の各電気接点を含む。第１及び第２の各電気接点が相互に接触すると回路が閉じて駆動システムのモーターが起動される。
アクチュエーターの第１及び第２の各電気接点は、前記ボタンを押し下げると相互に接触するように圧力部材に固定及び配置することができる。
【０００８】
本発明の他の様相によれば、粘着性メモ用紙のディスペンサーが提供され、その一側部に感圧接着材を有する粘着性メモ用紙のロールと、粘着性メモ用紙を駆動するための用紙駆動システムとを含んでいる。用紙駆動システムには、その中心軸線の周囲に回転するように回転自在に支持されたローラーと、モーターとが含まれ、ローラーは、実質的に円筒形状の外側表面と、内側部分とを画定する胴部とを含み、モーターはローラーの胴部の内側部分内に位置付けられ、ローラーと係合してローラーに回転を伝達する出力軸を有する。ディスペンサーは圧力プレートをも含み、この圧力プレートは、ローラーから離間された脱係合位置と係合位置との間を可動であるように支持される。係合位置では圧力プレートは粘着性メモ用紙をローラー表面に押し付け、かくしてロールから粘着性メモ用紙を駆動させる。
【発明を実施するための最良の形態】
【０００９】
同じ参照番号は同じ要素を表す図面を参照するに、本発明に従う粘着性メモ用紙を分与するためのディスペンサー１０が例示される。粘着性メモ用紙は、米国特許第５，９０４，２８３号に記載されるような、低粘着性の感圧接着材のバンドを用紙ストリップの中心線に沿って長手方向に伸延させた形式のロールを含み得るが、粘着材の多重ストリップまたは複数の粘着材ストリップを、用紙ストリップの中心線に沿ってではなく一方の縁部に沿って配置したものを含む異なる形式のロールを使用することができるものとする。
【００１０】
図１及び図２を参照するに、ディスペンサー１０が、内側部分を画定するハウジング１２を含み、ハウジング１２が、ベース部１６に取り付けたカバー１４を含んでいる。カバー１４は、ハウジング１２の内側部分から排出される粘着性メモ用紙の幅を収受するようにした狭い長孔形態を有することが好ましい排紙口１８を含む。図示されるディスペンサーの排紙口１８は、図１及び図２に示す状態で見た場合にハウジング１２の上端部付近に位置付けられる。しかしながら、この位置への取付けは本発明の必須事項ではなく、排紙口１８はハウジング１２の任意位置に位置付け得るが、ハウジング１２の上端部付近に位置付けるのが粘着性メモ用紙の分与が容易化される点で好ましい。
【００１１】
ディスペンサー１０は、粘着性メモ用紙２２をハウジング１２の排紙口１８から外側に送り出すための駆動システム２０を含む。先に議論したように、粘着性メモ用紙２２はハウジングの内側部分内に位置付けたロール２４の形態のものとして提供されることが好ましい。駆動システムは、ハウジング１２の内部に回転自在に支持されたローラー２６を含む。ローラー２６は、以下に説明するように粘着性メモ用紙２２と接触し、ロール２４から粘着性メモ用紙を駆動または引き出すようになっている実質的に円筒形状の外側表面を有する胴部２８を含む。例示した実施例では駆動システム２０は、好ましくは実質的に円筒状の外側表面を有するローラー取付け支持体またはローラー支持体３０を含む。例示した実施例ではローラー２６の胴部２８は、ローラー２６内部にローラー支持体３０を受けるためにその第１端部が開放される。以下に説明するように、こうした配置構成により、ローラー２６とローラー支持体３０とはローラー２６の中心軸線を中心として相対回転することが可能である。
【００１２】
図３のＡ及びＢを参照するにディスペンサー１０が示され、ローラー２６とローラー支持体３０とを、ハウジング１２の内部でベース部１６からある距離離れた位置で支持するための第１支持ブラケット３２及び第２支持ブラケット３４を含んでいる。例示した実施例では第１支持ブラケット３２及び第２支持ブラケット３４は、これらブラケットのフランジ部分をベース部１６に止着することでベース部１６の底部プレートに固定される。しかしながら、これら第１支持ブラケット３２及び第２支持ブラケット３４はベース部１６或いはカバー１４と一体形成することも可能である。ローラー支持体３０の第１端部は、図示されるように、ローラー支持体が第１支持ブラケット３２と実質的に直交して伸延するようにして第１支持ブラケット３２により支持される。ローラー支持体３０と第１支持ブラケット３２とは、ローラー支持体３０を第１支持ブラケット３２に連結させるために相互に嵌合し得、初期状態では相互に離間する構造部分を有する構成要素を含み得る。あるいはローラー支持体３０と第１支持ブラケット３２とは一体ユニットとして形成され得る（例えば、成型自在のプラスチック材料から）。
【００１３】
ローラー２６は、その胴部２８における開放された第１端部とは反対側の第２端部の位置に端部壁３６を含み、この端部壁３６は、第２支持ブラケット３４によって画定される開口４０によって摺動自在に受けられる外側表面を含む環状フィッティング３８を含む。開口４０が環状フィッティング３８を摺動自在に受けることで、ローラー２６の第２端部は回転自在に支持されるようになる。このように、ローラー２６はその第２端部位置で第２支持ブラケット３４によって回転自在に支持され、ローラー２６の残余部分がローラー支持体３０によって覆われ、ローラー支持体３０は結局は、第１支持ブラケット３２によって支持される。
【００１４】
図４を参照するに、駆動システム２０の断面図が示され、モーター４２と、モーター４２によって回転駆動される出力駆動部材としての出力軸４４とを有している。図示されるように、ディスペンサー１０のモーター４２は取付け支持体の内部に位置付けられ、モーター４２の出力軸４４が、取付け支持体内に位置付けられ且つローラー２６の内側に位置付けたソケット４６と係合するように好ましく配置される。ソケット４６はローラー２６の端部壁３６の内側表面上に位置付けることが好ましい。出力軸４４とソケット４６とは、モーター４２が出力軸４４を回転させるとローラーがローラー支持体３０に関して回転されるように相互に係合するようになっている。好ましい実施例では出力軸は、ソケットの上部または内部に形成した複数の表面と係合またはキー係合するように設計した一つ以上の平坦面を含み、かくして、出力軸４４とローラー２６との間におけるトルク伝達が容易化される。出力軸の一端は、例えば、ソケットに形成した合致用の形状部分と係合するための、スプライン形状、Ｄ字形状またはその他の非円形形状とすることができる。ローラー支持体３０の内側表面は、モーター４２の外側部分における協働する形状部分を受けて、あるいはそうでない場合はモーター４２の外側部分と係合して、モーター４２とローラー支持体３０との間の相対回転を制限または抑制するための一つ以上の形状部分（例えば、長手方向溝、突出部またはアバットメント）を画定することが好ましい。好ましい実施例では、ローラー支持体３０に対してモーターを更に固定させるための接着剤も使用され得る。モーター４２は、本実施例ではローラー支持体３０に対して実質的に固定され、かくしてベース部に対して実質的に固定される。
【００１５】
図示されたディスペンサー１０は上述したようなローラー支持体３０を有しているが、ローラー２６はローラー支持体無しで、ローラー２６の各端部位置で第１及び第２の各支持ブラケット３２及び３４によって回転自在に支持され得る。そうした実施例の場合、モーター及びまたは出力軸はローラー２６の内部に位置決めされ得、ローラーと係合するための、例えば、駆動ホイール或いはソケットのような構成要素が、モーターの出力軸をローラーの内側表面と係合させ得る。モーターは結局、少なくとも一方の支持ブラケットにより不回転状態に支持され得る。
【００１６】
再度図面を参照するに、ディスペンサー１０はハウジング１２の内側に支持される圧力部材４８を含んでいる。必ずしもそうではないが、圧力部材４８はローラー２６と係合及び脱係合する各位置間を移動するような設計形状のものとされ得る。以下に説明されるように、粘着性メモ用紙２２は、圧力部材４８とローラー２６の胴部２８との間で、圧力部材４８が粘着性メモ用紙を胴部２８の円筒形状の外側表面に押し付けるまたは付勢するように受けられる。圧力部材４８とローラー２６との間に生じる圧力によって粘着材がローラー２６に付着するとローラーが回転され、かくして粘着性メモ用紙２２がローラー２６と圧力部材４８との間を駆動される。
【００１７】
圧力部材４８は、図２及び図３で見た場合に下方表面を有する細長のプレート部分５０を含み、圧力部材４８が粘着性メモ用紙と係合するとこの下方表面が粘着性メモ用紙２２と接触する。圧力部材４８はプレート部分５０の各端部位置に位置付けた取付けフランジ５２をも含んでいる。圧力部材４８を第１及び第２の各支持ブラケット３２及び３４に関してピボット廻動自在に支持させるためのピン５４が、取り付けフランジ５２に形成した整列する開口に夫々受けられる。圧力部材４８は、ピボット廻動することにより、プレート部分５０がローラー２６から分離する脱係合位置と、プレート部分５０がローラー２６の胴部２８と係合する（或いは、粘着性メモ用紙がロールと圧力部材との間に位置付けられる場合は粘着性メモ用紙と接触する）係合位置との間を移動する。圧力部材が前記脱係合位置にある場合は、ロールと圧力部材との間への粘着性メモ用紙の装填が容易化される。各ピンは圧力部材または各支持ブラケットと一体化させることもできる。
【００１８】
ディスペンサー１０は、圧力部材４８を係合位置に向けて付勢するためのバネ装置または偏倚装置５６を含む。図示された偏倚装置５６は、コイル部分及び、このコイル部分から伸延する第１脚部及び第２脚部を有する“ひげゼンマイ”である。第１脚部は第２支持ブラケット３４に固定され、第２脚部は圧力部材４８の取付けフランジ５２の一方に形成した開口と係合される。圧力部材と支持ブラケットとの間にこのように配置されることでひげゼンマイは、通常操作時には圧力部材４８のプレート部分５０を押し下げるように機能する。ひげゼンマイは、圧力部材４８が脱係合位置に上昇されると、圧力部材に行使されるバネ圧力が圧力部材の中心に沿って行使され、かくして圧力部材４８をその上昇位置に保持し、次いで圧力部材４８が降下されるとバネ圧力が圧力部材の中心からずれて行使され、かくして圧力部材４８をロールに押し付けるように位置決めされる。圧力部材を係合位置に偏倚させるための、例えば圧力バネ、コイルバネ、板バネのようなその他のバネ機構を使用することができる。更には、バネ部材は別体の構成要素である必要はなく、圧力部材あるいは支持ブラケットの一体部分として形成することも可能である。
【００１９】
ディスペンサー１０は、駆動システム２０の作動を制御するための駆動システムアクチュエーター５８を含む。駆動システムアクチュエーター５８は、圧力部材４８のプレート部分５０の上面に好ましく固定した第１電気接点６０及び第２電気接点６２を含む。第１電気接点６０及び第２電気接点６２が相互に接触すると電気回路が閉じ、電源から駆動システム２０のモーター４２に電流が送られる。例示した実施例では、電源はハウジングのベース部１６の底部プレート８２におけるバッテリー画室６４内に位置付けたバッテリーにより提供される。電源はＡＣ電源のような任意の従来通りのものとすることができる。例示した実施例では第１電気接点６０は、第２電気接点６２の上方に位置付けた遠方端部を有する細長いアームを含み、このアームは、撓むと第１電気接点６０の遠方端部を第２電気接点６２と接触させるようになっている。第１電気接点６０及び第２電気接点６２は、常態ではモーターに電力が供給されず、従ってローラー２６が回転されないようにするために、通常は相互に接触しないように配置される。モーター及び電源間の各接点における電気的連結はその他の点では従来様式のものであるのでここでは説明されない。
【００２０】
駆動システムアクチュエーター５８は、ディスペンサー１０の駆動システム２０を起動させようとする場合にユーザーが接触するようになっているボタン６６をも含む。ボタン６６はハウジングのカバー１４の、好ましくはハウジング１２の頂部位置あるいは頂部位置付近に位置付けられた開口６８内に位置付けられ、駆動システムアクチュエーター５８の第１電気接点６０の遠方端部と接触するようになっている。このように配置することにより、ボタン６６は、ユーザーがカバー１４に関してこのボタンを押し下げると第１電気接点６０を第２電気接点６２に接触させる。
【００２１】
ディスペンサーは、ハウジング１２の内部に粘着性メモ用紙のロール２４を支持するための軸７０を含むことが好ましい。軸７０は、ロール２４の中心開口を貫いて伸延し、その各端部が、第１支持ブラケット３２及び第２支持ブラケット３４に夫々形成した溝７２に着脱自在に受けられるようになっている。各溝７２は、関連する第１支持ブラケット３２及び第２支持ブラケット３４の縁部から伸延して、軸７０の第１支持ブラケット３２及び第２支持ブラケット３４内への配置を、または第１支持ブラケット３２及び第２支持ブラケット３４からの取り出しを提供するための下方部分７４を含む。各溝には、下方部分７４から垂直方向に伸延する第２部分７６も含まれる。第２部分７６は、例示した実施例では軸を然るべく保持するための戻止めとして作用する、材料（本実施例ではプラスチック）の固有の弾性を用いる可撓性のバネである。第２部分７６は、ロールが排紙によって小さくなるに従い、ベース部１６からの軸７０の高さを自動調整するように設計され得る。
【００２２】
ディスペンサー１０は、排紙口１８に隣り合う位置で第１支持ブラケット３２及び第２支持ブラケット３４に夫々固定される各端部を有する出口ガイド７８を含むことが好ましい。出口開口７８は、駆動システム２０によりロール２４から駆動される粘着性メモ用紙を排紙口１８に向けて案内するようになっている。
ディスペンサー１０は、圧力部材４８のプレート部分５０の下方表面に装着または形成することが好ましい切り取りバー８０を含む。切り取りバー８０は、排紙口１８に隣り合って位置付けられ、用紙を排紙口を横断する方向に引いた場合に用紙の切り取りを容易化するための比較的鋭利な縁部を含む。切り取りバー８０は、これを圧力部材４８のプレート部分５０に溶接（例えば熱加締め）することが好ましいが、切り取りバー８０は圧力部材と一体形成した鋭利な縁部としても良い。
【００２３】
ベース部１６は底部プレート８２と、直立壁８４とを含み、底部プレート８２は、例示した実施例では締め具によって直立壁８４に固定されるが、ベース部材全体を単一部材として成型することもできる。ハウジング１２のカバー１４はその各側に取付けタブ８６を含み、これらの取付けタブ８６が、直立壁８４の各側に位置付けた溝ガイド８８と係合する設計とすることが好ましい。ディスペンサー１０は、対向する各アームを有し且つ各アームには突出部９２を設けたカバー保持バネ９０をも含み得る。カバー保持バネ９０の各突出部９２は、ハウジング１２のカバー１４をベース部１６上に維持するための、取り付けタブ８６に形成した開口部９４内に受けられる。
【００２４】
カバー保持バネ９０は、その中心点に圧力を加えると、ベース部に位置付けたピボット点に依存して、突出部９２が取り付けタブ８６の長孔から引き抜かれるような設計とされる。カバー保持バネ９０を釈放する前記中心点には、この中心点と整列する状態で底部プレート８２を貫く孔を通してアクセスする。カバー保持バネ９０を釈放する前記中心点には、ユーザーがカバー保持バネ９０を押し下げるためのボタンが含まれる。
例示した実施例ではモーターはロール内部に取り付けた状態で示されるが、モーターはローラーの外側に位置決めすることが可能であり且つ、ローラーを回転させるためのベルトやギヤ、または直接的な相互連結部分を含み得る。
【００２５】
本設計形状の特徴の一つは、ディスペンサーからの用紙の取り出し、または紙送りを容易化するために用紙上の粘着材を利用する能力である。粘着材はローラーと接触し、ロールからの用紙の取り出しを可能とするに十分な粘着性を提供する。圧力プレートが、ローラーへの用紙の粘着を支援する。粘着材を用紙の中心に沿って形成し、かくしてロールからの用紙の一様な送給を助長させることが好ましい。
以上、本発明を実施例を参照して説明したが、本発明の内で種々の変更をなし得ることを理解されたい。
【図面の簡単な説明】
【００２６】
【図１】本発明の一実施例に従う粘着性メモ用紙ディスペンサーの側面図である。
【図２】図１の粘着性メモ用紙ディスペンサーの断面図である。
【図３】Ａは駆動システム部分の斜視図であり、Ｂは図１の粘着性メモ用紙ディスペンサーの分解斜視図である。
【図４】図１の粘着性メモ用紙ディスペンサーの駆動システムの図３Ａの線４−４で切断した断面図である。
【符号の説明】
【００２７】
１０  ディスペンサー
１２  ハウジング
１４  カバー
１６  ベース部
１８  排紙口
２０  駆動システム
２２  粘着性メモ用紙
２４  ロール
２６  ローラー
２８  胴部
３０  ローラー支持体
３２  第１支持ブラケット
３４  第２支持ブラケット
３６  端部壁
３８  環状フィッティング
４０  開口
４２  モーター
４４  出力軸
４６  ソケット
４８  圧力部材
５０  プレート部分
５２  取付けフランジ
５４  ピン
５６  偏倚装置
５８  駆動システムアクチュエーター
６０  第１電気接点
６２  第２電気接点
６４  バッテリー画室
６６  ボタン
６８  開口
７０  軸
７２  溝
７４  下方部分
７６  第２部分
７８  出口ガイド
８０  切り取りバー
８２  底部
８４  直立壁
８６  取付けタブ
８８  溝ガイド
９０  カバー保持バネ
９２  突出部
９４  開口部
【図１】
2007297137.tif 000003
【図２】
2007297137.tif 000004
【図３】
2007297137.tif 000005
【図４】
2007297137.tif 000006